(57)【要約】【解決手段】環状体は折り畳み可能であり、固有弾性によって平らな元の位置に再度広げるために適切である。
2006525824.tif 000002
【特許請求の範囲】
【請求項１】
ヒトの目の前部領域で内包または外包に人工補装具を再構成するための固定リングであって、真中の、丸い開口部を有する平坦な環状体を具備し、この環状体には、互いに対向した２つの支持湾曲部材が付いており、これらの支持湾曲部材は、リングの面から上方にかつリングの面に平行に外へ曲げられていてなる固定リングにおいて、
前記環状体は折り畳み可能であり、固有弾性によって平らな元の位置に再度広げるために適切であることを特徴とする固定リング。
【請求項２】
前記環状体は、真中で分けられており、互いに対向した側方の結合湾曲部材（１６）を有し、これらの結合湾曲部材は弾性的であり、分離個所を橋渡しすることを特徴とする請求項１に記載の固定リング。
【請求項３】
前記環状体は、実質的に円環状であり、側方へ突出する前記結合湾曲部材（１６）の分だけ拡大されていることを特徴とする請求項２に記載の固定リング。
【請求項４】
前記結合湾曲部材（１６）は、前記環状体の円周の約８分の１を占め、幅が狭く、角の丸い、矩形のＵ字形を有することを特徴とする請求項２または３に記載の固定リング。
【請求項５】
前記結合湾曲部材（１６）の間には支持湾曲部材（１８）があることを特徴とする請求項２ないし４のいずれか１に記載の固定リング。
【請求項６】
前記支持湾曲部材（１８）は、両端で、前記環状体のほぼ径方向真中に付いていること、および、これらの支持湾曲部材の、リングの面に対し平行に延びている部分（２０）は、曲げられており、真中で、前記環状体の外縁へ延びているか、この外縁を越えて僅か外側に突出していることを特徴とする請求項１ないし５のいずれか１に記載の固定リング。
【請求項７】
前記固定リングは、二重の回転対称であることを特徴とする請求項１ないし６のいずれか１に記載の固定リング。
【請求項８】
前記固定リングの開口部（１０）は、約３ｍｍの直径を有することを特徴とする請求項１ないし７のいずれか１に記載の固定リング。
【請求項９】
前記固定リングは、染色したポリメチルメタクリレート（ＰＭＭＡ）またはポリカーボネートからなることを特徴とする請求項１ないし８のいずれか１に記載の固定リング。
【発明の詳細な説明】
【技術分野】
【０００１】
本発明は、ヒトの目の前部領域で内包または外包に人工補装具を再構成するための固定リングに関する。
【背景技術】
【０００２】
眼内の人工補装具は、まず、光学的な課題を有する。これらの人工補装具は、通常、白内障の外科的な除去後に、目の連続的な光学素子の光屈折部材として、ヒトの水晶体の代わりに用いられる。
【０００３】
眼内の人工補装具を目に固定するためには、以下の可能性が考えられる（前方から後方へ）。  
１．眼房隅角に支持または固定されている；前房レンズ。  
２．虹彩に囲まれている、すなわち虹彩に固定されている；人工レンズ。  
３．虹彩に支持されている、すなわち瞳孔によって固定されている；虹彩嵌め込みレンズ。  
４．強膜に固定されている。嚢の十分な残りおよび嚢の固定器官（小帯）が存在する場合に。レンズ支持部材の、毛様体溝への挿入。  
５．内包での位置決め、すなわち、眼内レンズの、水晶体嚢への挿入。  
６．眼内の人工補装具の強膜固定、すなわち、レンズ支持部材の経強膜的縫合および固定。  
一般的に、内包での位置決めは好ましい。しかし、この位置決めは、相当に無疵の水晶体嚢およびその固定器官を前提とする。水晶体嚢が欠如する場合、人工補装具を他の方法で位置決めするための他の固定技術も可能である。この場合、個々の位置決めは種々の危険因子に付き纏われている。例えば、人工補装具が眼房隅角で支持されている場合に、角膜機能不全が生じることがある。
【０００４】
WO 98/56 314 A1からは、内包補装具装置の一部として、１つまたは複数の遮光装置用の固定リングが知られている。このような遮光装置によって、人工瞳孔が形成される。固定リングは、真中の、丸い開口部を有する平坦な環状体を具備し、この環状体には、互いに対向した２つの支持湾曲部材が付いており、これらの支持湾曲部材は、リングの面から上方にかつリングの面に平行に外へ曲げられている。支持湾曲部材は、１つまたは複数の遮光装置に固定するために用いられる。固定リングの真中の開口部は光学的な補装具を取り付けるために用いられることができる。
【０００５】
例えば水晶体赤道のような嚢の個々の特性は、１つまたは複数の遮光装置の与えられた寸法、例えば所定の外径の場合に、解剖学的条件によって規定される個々の外径を有することを特徴とする開口部が、補装具構造体の中心のために実現されるという結果となる。例えば、水晶体嚢の赤道が、人工補装具の外径よりも小さいとき、開口部が縮径されて、最早環状の条件に合わない。この理由から、中央の人工補装具要素として、瞳孔の規格化された大きさを形成する固定リングを挿入することは適切である。この場合、基本的には、人工補装具構造全体の外径が嚢の赤道よりも小さいほうがよい。
【発明の開示】
【発明が解決しようとする課題】
【０００６】
実際には、固定リングを、１つまたは複数の遮光装置からなる、人工補装具の開口部に挿入することが難しいことが明らかになった。本発明の課題は、人工補装具の他の部分に、より容易に挿入される固定リングを製造することである。
【課題を解決するための手段】
【０００７】
この課題を解決する固定リングの場合、環状体は折り畳み可能であり、固有弾性によって平らな元の位置に再度広げるために適切である。
【０００８】
固定リングの環状体は形状記憶および弾性的な形状安定性を有する。固定リングが折り畳まれることによって、外径に応じて寸法が異なっており、かつ人工補装具の外側構造に形成された、内側のすなわち中心にある開口部への、コントロールされた挿入が可能である。折り畳まれた固定リングは、人工補装具の配置を標準化しかつ安定化するためには、重要な要素である。
【０００９】
固定リングの開口部へ、光学系を入れ、特に差し込みまたは嵌め込むことができる。固定リングは、他の方法で、光屈折素子のためのホルダーとしても用いられることができる。この光屈折素子は固定リングによって良く位置決めされている。
【００１０】
本発明に係わる固定リングは、虹彩の欠損または虹彩の不足を代替するように使用される遮光装置を構成するのに用いられる内包補装具装置のために、用いられる。固定リングは、WO 98/56 314 A1に記載の固定リングの代わりをするために、適切である。この場合、固定リングは、折り畳み可能性の故に、取扱い技術上の重要な利点を生じさせる。
【００１１】
好ましい実施の形態では、固定リングの環状体は真中で分けられており、互いに対向した側方の結合湾曲部材を有し、これらの結合湾曲部材は弾性的であり、分離個所を橋渡しする。固定リングは分割線に沿って折り畳まれることができる。固定リングは、弾性的な結合湾曲部材の故に、平坦な元の位置に、跳ね戻る。
【００１２】
好ましい実施の形態では、固定リングの環状体は実質的に円環状であり、側方へ突出する結合湾曲部材の分だけ拡大されている。
【００１３】
好ましい実施の形態では、結合湾曲部材は環状体の円周の約８分の１を占める。結合湾曲部材は、幅が狭く、角の丸い、矩形のＵ字形を有する。
【００１４】
好ましい変更の実施の形態では、結合湾曲部材の間には支持湾曲部材がある。
【００１５】
好ましい実施の形態では、支持湾曲部材は、両端で、環状体のほぼ径方向真中に付いている。これらの支持湾曲部材の、リングの面に対し平行に延びている部分は、曲げられている。この部分は、真中で、環状体の外縁に延びているか、この外縁を越えて僅か外側に突出している。
【００１６】
好ましい実施の形態では、固定リングは二重の回転対称である。
【００１７】
好ましい実施の形態では、固定リングは、染色したポリメチルメタクリレート（ＰＭＭＡ）またはポリカーボネートからなる。これらの材料の剛性にも拘わらず、固定リングは、幾何学的な配置の故に、折り畳まれる。
【００１８】
以下、図面に示された実施の形態を参照して本発明を詳述する。
【発明を実施するための最良の形態】
【００１９】
固定リングは、染色したポリメチルメタクリレート（ＰＭＭＡ）またはポリカーボネートからなる。固定リングは、５ｍｍの外径を有する、実質的に円環の形の平坦な環状体と、３ｍｍの直径を有する、真中の、丸い開口部１０とを具備する。
【００２０】
環状体は、対角線状の、真っ直ぐな分割線１２に沿って、真中で分割されている。環状体の半分部分１４は、環状体に成形されており、環状体から側方に突出しておりかつ分割線１２を跨っている結合湾曲部材１６に結合されている。結合湾曲部材１６は環状体の面に位置している。結合湾曲部材は、分割線１２に鏡面対称的に、環状体の半分部分１４に付いている。固定リングは分割線１２に沿って折り畳まれ、これにより、自らの外側寸法が減じられる。結合湾曲部材１６は、固定リングが、図１に示した平坦な元の位置に、跳ね戻る傾向にある程に、弾性的である。この位置で、半環（Halbringe）１４は面一に隣り合っている。それ故に、半環は補い合って平らな完全なリングを形成する。
【００２１】
結合湾曲部材１６同士の間には、支持湾曲部材（Haptikbuegel）１８が半環１４に付いている。支持湾曲部材１８は、両端で、リングの面から直角方向上方に曲げられている。支持湾曲部材の背部２０は、同一の高さで、リングの面に平行に延びている。支持湾曲部材１８の固定点２２は、各々の半環１４のほぼ径方向真中にある。湾曲部材の背部２０は外側に湾曲されている。この背部は、環状体の外縁２４から僅かに突出している。
【００２２】
固定リングは二重の回転対称である。固定リングは、開口部１０の中心点を中心とした１８０°の回転の際に、重なり合う。
【００２３】
図１および図２に示した固定リングとの比較で、図３に示した固定リングでは、支持湾曲部材１８は、リングの面から更に突出している。従って、固定リングの環状体と支持湾曲部材との間には、より多くの人工補装具が適合する。
【図面の簡単な説明】
【００２４】
【図１】固定リングの平面図を示す。
【図２】図１の方向ＩＩから見た固定リングの側面図を示す。
【図３】固定リングの側面図の他の実施の形態を示す。
【符号の説明】
【００２５】
１０  開口部
１２  分割線
１４  半環
１６  結合湾曲部材
１８  支持湾曲部材
２０  湾曲部材の背部
２２  固定点
２４  縁部
【図１】
2006525824.tif 000003
【図２】
2006525824.tif 000004
【図３】
2006525824.tif 000005
【国際調査報告】
2006525824.tif 000006
2006525824.tif 000007
2006525824.tif 000008
2006525824.tif 000009
2006525824.tif 000010
2006525824.tif 000011